(57)【要約】【課題】  本発明は、電極構造を改善して発光輝度を向上させて、色相別放電セルの輝度差を減少させた、プラズマディスプレイパネルに関する。【解決手段】  本発明で提供するプラズマディスプレイパネルは、互いに対向する前面基板及び背面基板、前記前面基板及び背面基板の間に位置して、複数の放電セルを区画する隔壁、前記放電セルに対応して形成されるアドレス電極、前記放電セル内に形成される蛍光体層、前記アドレス電極と交差して形成されて、前記放電セルで互いに対向して放電ギャップをなす走査電極及び維持電極を含み、前記走査電極及び維持電極は、前記アドレス電極と交差する方向に長く形成される第１ライン部、前記第１ライン部から離隔して前記放電セルの内部に位置して前記放電ギャップをなす第２ライン部、前記第１及び第２ライン部と交差する隔壁に隣接して位置して、前記第１ライン部及び第２ライン部を連結する連結部を含んで構成される。【選択図】  図２
2005340213.tif 000002
【特許請求の範囲】
【請求項１】
互いに対向する前面基板及び背面基板と；
前記前面基板及び背面基板の間に位置して、複数の放電セルを区画する隔壁と；
前記放電セルに対応して形成されるアドレス電極と；
前記放電セル内に形成される蛍光体層と；
前記アドレス電極と交差して形成されて、前記放電セルで互いに対向して放電ギャップをなす走査電極及び維持電極と；を含み、
前記走査電極及び維持電極は、
前記アドレス電極と交差する方向に長く形成される第１ライン部と、前記第１ライン部から離隔し、前記放電セルの内部に位置して、前記放電ギャップをなす第２ライン部と、前記第１及び第２ライン部と交差する隔壁に隣接して位置して、前記第１ライン部及び第２ライン部を連結する連結部と、を含んで構成されることを特徴とするプラズマディスプレイパネル。
【請求項２】
前記連結部は、前記第１及び第２ライン部と交差する方向で前記放電セルを区画する一対の隔壁に各々隣接して対に形成されることを特徴とする請求項１に記載のプラズマディスプレイパネル。
【請求項３】
前記連結部は、前記隔壁の壁面から４０〜５０μｍ離隔して形成されることを特徴とする請求項１に記載のプラズマディスプレイパネル。
【請求項４】
前記連結部は、前記隔壁に形成される蛍光体層から１０〜２０μｍ離隔して形成されることを特徴とする請求項１に記載のプラズマディスプレイパネル。
【請求項５】
前記第１ライン部と前記第２ライン部との間に位置する第３ライン部をさらに含むことを特徴とする請求項１に記載のプラズマディスプレイパネル。
【請求項６】
前記第１乃至第３ライン部は、互いに平行に形成されることを特徴とする請求項５に記載のプラズマディスプレイパネル。
【請求項７】
前記放電ギャップは、互いに異なる長さの第１ギャップ及び第２ギャップからなることを特徴とする請求項１に記載のプラズマディスプレイパネル。
【請求項８】
前記第２ライン部及び前記連結部が交差する地点で前記第１ギャップよりも長い第２ギャップが形成されることを特徴とする請求項７に記載のプラズマディスプレイパネル。
【請求項９】
前記ライン部及び前記連結部は、細くて長いストリップ薄膜からなることを特徴とする請求項１に記載のプラズマディスプレイパネル。
【請求項１０】
前記ライン部及び前記連結部は、クロム又は銅のような金属材質で形成されることを特徴とする請求項１に記載のプラズマディスプレイパネル。
【請求項１１】
互いに対向する前面基板及び背面基板と；
前記前面基板及び背面基板の間に位置して、複数の放電セルを区画する隔壁と；
前記放電セルに対応して形成されるアドレス電極と；
前記放電セル内に形成されて、前記放電セルを赤色、緑色、青色の色相別放電セルに区分する蛍光体層と；
前記アドレス電極と交差して形成されて、前記放電セルで互いに対向して放電ギャップをなす走査電極及び維持電極と；を含み、
前記走査電極及び維持電極は、
前記アドレス電極と交差する方向に長く形成されて、互いに離隔している複数のライン部からなり、少なくともいずれか一つの色相の放電セルには、前記ライン部と交差する方向で前記放電セルを区画する一対の隔壁に隣接して一対の連結部が形成されることを特徴とするプラズマディスプレイパネル。
【請求項１２】
前記青色の放電セルに沿って形成されるライン部は、一対の連結部で互いに連結されていることを特徴とする請求項１１に記載のプラズマディスプレイパネル。
【請求項１３】
前記緑色及び赤色の放電セルに沿って形成されるライン部は、一つの連結部で互いに連結されていることを特徴とする請求項１２に記載のプラズマディスプレイパネル。
【請求項１４】
前記緑色及び赤色の放電セルに沿って形成される連結部は、放電セルの幅方向中心に位置することを特徴とする請求項１３に記載のプラズマディスプレイパネル。
【請求項１５】
前記一対の連結部は、前記隔壁の壁面から４０〜５０μｍ離隔して形成されることを特徴とする請求項１１に記載のプラズマディスプレイパネル。
【請求項１６】
前記一対の連結部は、前記隔壁に形成される蛍光体層から１０〜２０μｍ離隔して形成されることを特徴とする請求項１１に記載のプラズマディスプレイパネル。
【請求項１７】
前記走査電極及び維持電極は、
前記アドレス電極と交差する方向に形成される第１ライン部と、前記第１ライン部から離隔し、前記放電セルの内部に位置して、放電ギャップをなす第２ライン部と、を含むことを特徴とする請求項１１に記載のプラズマディスプレイパネル。
【請求項１８】
前記第１ライン部と前記第２ライン部との間に位置する第３ライン部をさらに含むことを特徴とする請求項１７に記載のプラズマディスプレイパネル。
【請求項１９】
前記第１乃至第３ライン部は、互いに平行に形成されることを特徴とする請求項１８に記載のプラズマディスプレイパネル。
【請求項２０】
前記放電ギャップは、互いに異なる長さの第１ギャップ及び第２ギャップからなることを特徴とする請求項１７に記載のプラズマディスプレイパネル。
【請求項２１】
前記第２ライン部及び前記連結部が交差する地点で前記第１ギャップよりも長い第２ギャップが形成されることを特徴とする請求項２０に記載のプラズマディスプレイパネル。
【請求項２２】
前記ライン部及び前記連結部は、細くて長いストリップ薄膜からなることを特徴とする請求項１１に記載のプラズマディスプレイパネル。
【請求項２３】
前記ライン部及び前記連結部は、クロム又は銅のような金属材質で形成されることを特徴とする請求項１１に記載のプラズマディスプレイパネル。
【発明の詳細な説明】
【技術分野】
【０００１】
本発明はプラズマディスプレイパネルに関し、より詳しくは、電極構造を改善して発光輝度を向上させた、プラズマディスプレイパネルに関する。
【背景技術】
【０００２】
一般に、プラズマディスプレイパネル（plasma display panel、以下‘ＰＤＰ’）は、ガス放電によって得られたプラズマから放射される紫外線が蛍光体を励起することによって発生する可視光を利用して、映像を表現するディスプレイ素子である。このようなＰＤＰは、６０インチ以上の超大型画面を、僅か１０cm以内の厚さで実現することができ、ＣＲＴのような自発光ディスプレイ素子であるので、色再現力が優れていて、視野角による歪曲現象が少ないという特徴がある。また、液晶ディスプレイ素子などに比べて製造工法が単純で、生産性及び原価の側面でも長所があるので、次世代の産業用平板ディスプレイ及び家庭用ＴＶディスプレイとして脚光を浴びている。
【０００３】
ＰＤＰの構造は、１９７０年代から長期間にわたって発展してきたが、現在一般的に知られている構造は、３電極面放電型構造である。３電極面放電型構造は、対をなしている電極が形成された前面基板、及びこれから一定の距離をおいて離隔して、垂直方向に連結されるアドレス電極が形成された背面基板からなり、その間に放電ガスが封入された構造である。一般に、放電の有無は、アドレス電極の作用による壁電荷の蓄積によって決定されて、発光輝度を表示する維持放電は、前面基板に形成された対をなしている複数の電極によって行われる。
【０００４】
一方、電極は、前面基板から出る光を遮断しないように、光が透過する透明電極で形成される。しかし、透明電極そのものは抵抗が高いので、その導電性を補完するために、金属電極を透明電極と組み合わせて使用する。この時、金属電極そのものは光が透過しないので、放電セルから出る光を遮断しないように、透明電極の幅方向の端部に沿って形成される。
【０００５】
しかし、透明電極及び金属電極が作用しても、実質的に放電が起こる放電ギャップの周囲には透明電極が位置しているため、放電を起こすための開始電圧が高いという問題点がある。また、透明電極をなす物質（例えばＩＴＯ）が高価であるため、ＰＤＰの製造単価が高くなり、価格競争力を低下させている。また、基板上にストリップ形態に形成される電極そのものが透明電極及び金属電極の二重層構造であるため、作業工程が複雑になり、製造単価が高くなる。
【０００６】
一方、放電セルの内部で起こる放電は、アドレス電極及び前面基板に形成される電極の間に存在する誘電体層、蛍光体層、及び放電ガスによって誘導されるため、これら構成要素の材料特性及び形態特性が放電に大きな影響を与えるが、実質的に、誘電体層は、基板全体にかけて均一な厚さに形成されるので、赤色、緑色、及び青色放電セル別に特性差が存在しないともいえる。
【０００７】
しかし、ＢａＭｇＡｌ１０Ｏ１７：Ｅｕ（Ｅｕを発光中心にしたバリウムマグネシウムアルミネート）のような物質の青色蛍光体、Ｚｎ２ＳｉＯ４：Ｍｎ（Ｍｎを発光中心にした珪酸亜鉛）、ＢａＡｌ１２Ｏ１９：ＹＢＯ３：Ｔｂのような緑色蛍光体、Ｙ０．３５Ｇｄ０．３５ＢＯ３（Ｅｕを発光中心にしたイトリウムガドリニウムホウ酸塩）、Ｙ２Ｏ３：ＥＵ、Ｇｄ２Ｏ３：Ｅｕのような赤色蛍光体からなる蛍光体層は、色相別にその誘電率が異なり、ＰＤＰを製作する時に色相別に実質的に厚さ差が発生するため、蛍光体層の材料特性及び厚さ差などによりキャパシタンス差が発生して、赤色、緑色、及び青色放電セル別に発光輝度が異なる問題点が発生する。
【０００８】
特に、青色放電セルの輝度が相対的に低くなると、色温度（またはホワイトバランス）も低くなるが、これにより、人の視神経ではＰＤＰの明るさが相対的に暗いと認識されるので好ましくない。そのため、回路的なガンマ補正によってホワイトバランス（white balance）を調整するようになるが、この時、青色の輝度が相対的に低いため、これを基準にしてホワイトバランスを調整するようになる。したがって、青色及び赤色（または緑色）の輝度差に相当する大きさだけ、ガンマ調整によって発光輝度の損失が発生する。
【０００９】
一方、図７は従来の３電極面放電型ＰＤＰにおける一つの放電セルに対する発光輝度の分布を説明する図面である。図面では、電極１０１及び隔壁２０１のみを選択的に示し、電極１０１を延長して、図面を基準にして、縦には電極１０１による発光輝度の分布を示した。そして、横には隔壁２０１による発光輝度の分布を示した。図面に示したように、発光輝度は電極が互いに対向する放電ギャップ（ｗ）及び電極１０１が隔壁２０１に近いほど高く現れることが分かる。
【発明の開示】
【発明が解決しようとする課題】
【００１０】
本発明の目的は、電極構造を改善して発光輝度を向上させた、プラズマディスプレイパネルを提供することにある。
【００１１】
本発明の他の目的は、各色相別放電セルの輝度差を構造的に改善して発光輝度を向上させた、プラズマディスプレイパネルを提供することにある。
【課題を解決するための手段】
【００１２】
本発明の第１実施例で提供するプラズマディスプレイパネルは、互いに対向する前面基板及び背面基板と、前記前面基板及び背面基板の間に位置して、複数の放電セルを区画する隔壁と、前記放電セルに対応して形成されるアドレス電極と、前記放電セル内に形成される蛍光体層と、前記アドレス電極と交差して形成されて、前記放電セルで互いに対向して放電ギャップをなす走査電極及び維持電極と、を含み、前記走査電極及び維持電極が、前記アドレス電極と交差する方向に長く形成される第１ライン部と、前記第１ライン部から離隔し、前記放電セルの内部に位置して、前記放電ギャップをなす第２ライン部と、前記第１及び第２ライン部と交差する隔壁に隣接して位置して、前記第１ライン部及び第２ライン部を連結する連結部と、を含んで構成される。
【００１３】
そして、本発明は、前記第１ライン部及び前記第２ライン部の間に位置する第３ライン部をさらに含んで構成され、第１乃至第３ライン部は、互いに平行に形成されるのが好ましい。
【００１４】
本発明において、前記連結部は、前記第１ライン部及び第２ライン部と交差する方向で前記放電セルを区画する一対の隔壁に各々隣接して対に形成されるのが好ましい。
【００１５】
そして、本発明において、前記連結部は、前記隔壁の壁面から４０〜５０μｍ離隔して形成されるか、又は前記隔壁に形成される蛍光体層から１０〜２０μｍ離隔して形成されるのが好ましい。
【００１６】
そして、本発明において、放電ギャップは、互いに異なる長さの第１ギャップ及び第２ギャップからなって、前記第２ライン部及び前記連結部が交差する地点で前記第１ギャップよりも長い第２ギャップが形成されるのが好ましい。
【００１７】
本発明において、前記ライン部及び前記連結部は、細くて長いストリップ薄膜からなり、クロム又は銅のような金属材質で形成されるのが好ましい。
【００１８】
本発明の第２実施例で提供するプラズマディスプレイパネルは、互いに対向する前面基板及び背面基板と、前記前面基板及び背面基板の間に位置して、複数の放電セルを区画する隔壁と、前記放電セルに対応して形成されるアドレス電極と、前記放電セル内に形成されて、前記放電セルを赤色、緑色、青色の色相別放電セルに区分する蛍光体層と、前記アドレス電極と交差して形成されて、前記放電セルで互いに対向して放電ギャップをなす走査電極及び維持電極と、を含み、前記走査電極及び維持電極が、前記アドレス電極と交差する方向に長く形成されて、互いに離隔している複数のライン部からなり、少なくともいずれか一つの色相の放電セルには、前記ライン部と交差する方向で前記放電セルを区画する一対の隔壁に隣接して一対の連結部が形成される。
【００１９】
そして、前記青色の放電セルに沿って形成されるライン部は、一対の連結部で互いに連結され、前記緑色及び赤色の放電セルに沿って形成されるライン部は、一つの連結部で互いに連結されているのが好ましい。この時、前記緑色及び赤色の放電セルに沿って形成される連結部は、放電セルの幅方向中心に位置するのが好ましい。
【００２０】
本発明において、前記走査電極及び維持電極は、前記アドレス電極と交差する方向に形成される第１ライン部と、前記第１ライン部から離隔し、前記放電セルの内部に位置して、放電ギャップをなす第２ライン部と、を含んで構成される。
【発明の効果】
【００２１】
本発明によるプラズマディスプレイパネルは、従来の組合せ型電極構造を有するパネルに比べて製造原価を低くすることができ、維持放電の強さが強化されて、維持放電に必要な駆動電圧を下げる効果がある。また、本発明によるプラズマディスプレイパネルは、放電セルの内部からより広い領域にかけて維持放電が起こるので、維持放電が安定して、発光効率が向上して、色相別放電セルの輝度不均衡が改善される効果がある。
【発明を実施するための最良の形態】
【００２２】
以下、添付した図面を参照して、本発明の好ましい実施例について、当業者が容易に実施することができるように詳細に説明する。しかし、本発明は多様な相異した形態で実現でき、ここで説明する実施例に限定されない。
【００２３】
図１は本発明の第１実施例によるプラズマディスプレイパネルの部分分解斜視図であり、これを参照して、第１実施例によるプラズマディスプレイパネルを説明する。
【００２４】
図面を参照すれば、本実施例によるプラズマディスプレイパネル（以下‘ＰＤＰ’）は、一対の前面基板４及び背面基板２が任意の間隔をおいて互いに対向配置されて、両基板の間の空間には隔壁１２によって区画される色相別放電セル８Ｒ、８Ｇ、８Ｂが形成される。この時、アドレス電極８は、放電セル８Ｒ、８Ｇ、８Ｂの幅方向（図面のｘ軸方向）と交差する方向（図面のｙ軸方向）に長くのびて、互いに隣接するアドレス電極８とは一定の間隔をおいて平行に位置するのが好ましい。
【００２５】
このアドレス電極８は、背面基板２の内面に形成され、このアドレス電極８を覆って、背面基板２の内面全体に誘電体層１０が形成される。
【００２６】
前記誘電体層１０上には、隔壁１２が形成され、この隔壁１２の壁面及び底面をなしている誘電体層１０にかけて赤、緑、青色の蛍光体１４Ｒ、１４Ｇ、１４Ｂが塗布されて、色相別放電セル８Ｒ、８Ｇ、８Ｂが形成される。
【００２７】
図１では、隔壁１２が、図面のｘ軸方向に沿って形成されている横隔壁１２ａ及びｙ軸方向に沿って形成されている縦隔壁１２ｂによって、放電セル８Ｒ、８Ｇ、８Ｂがマトリックス形態に配置された構造を例示しているが、これに限定されない。一例として、放電セルが互いに平行な縦隔壁１２ｂのみで区画されるストライプ形態、又は三角形配列をなすデルタ形態などが適用され得る。
【００２８】
そして、背面基板２に対向する前面基板４上には、アドレス電極８と交差する方向（図面のｘ軸方向）に沿って走査電極１６及び維持電極１８からなる表示電極２０が形成されて、この表示電極２０を覆って、前面基板４の内面全体に誘電体層２２及び保護膜２４が順次に形成される。
【００２９】
本実施例において、前記表示電極２０は、金属の導電性物質のみで形成されて、その内部はオープンされた構造である。この第１実施例の表示電極の構造については、別の図面を参照して下記で詳細に説明する。
【００３０】
一方、前面基板４及び背面基板２の組み合わせによって、アドレス電極８及び前記表示電極２０は、放電セル８Ｒ、８Ｇ、８Ｂで交差して位置して、放電セルの内部は、プラズマ放電で紫外線の放出を誘導する放電ガス（主にＮｅ−Ｘｅ混合ガス）で満たされる。
【００３１】
以下、添付した図面を参照して、第１実施例による表示電極の構造について詳細に説明する。本実施例において、表示電極２０は、金属電極から形成される複数のライン部の組み合わせによって構成される。
【００３２】
図２及び図３は放電セルがマトリックス形態に形成される時に、表示電極２０が各放電セルに沿って形成される構造を例示している。以下の説明も、放電セルがマトリックス形態に形成されることを説明するが、本発明はこれに限定されない。
【００３３】
本実施例において、走査電極１６及び維持電極１８の各々は、横隔壁１２ａに隣接して放電セルの内部に形成される第１ライン部１６１、１８１、放電セルの内部で互いに対向して放電ギャップ（Ｇ）を形成する第２ライン部１６２、１８２を含む。
【００３４】
より詳細に、第１ライン部１６１、１８１は、横隔壁１２ａの延長方向（図面のｘ軸方向）に長く形成されて、この横隔壁１２ａに隣接して放電セルの内部に位置する。したがって、第１ライン部１６１、１８１は、横隔壁１２ａに隣接して放電セルの内側に位置して、一方向（図面のｘ軸方向）に長く形成される。これにより、走査電極１６の第１ライン部１６１及び維持電極１８の第１ライン部１８１は、放電セルで最も遠い距離を構成しながら互いに対向する形態を有している。
【００３５】
この第１ライン部１６１、１８１、及び以下で説明される第２ライン部、第３ライン部、並びに連結部の各々は、ストリップ（STRIP）薄膜からなり、材質はクロム又は銅のような金属物質で形成される。
【００３６】
一方、この第１ライン部１６１、１８１に隣接して、放電セルの内側には、この第１ライン部と同一な形態で第２ライン部１６２、１８２がさらに形成される。この第２ライン部１６２、１８２は、放電セルの内側で走査電極１６及び維持電極１８のものが各々形成されて、第１ライン部１６１、１８１が互いに対向してなす距離よりも相対的に短い距離で対向する形態を有している。
【００３７】
一方、この第２ライン部１６２、１８２は、第１ライン部１６１、１８２から所定の距離をおいて離隔して放電セルの内側で形成されるので、第１ライン部及び第２ライン部の間にはオープン空間が形成される。
【００３８】
そして、一つの放電セルの内部で第１ライン部１６１、１８１及び第２ライン部１６２、１８２を互いに連結している連結部１６４、１８４をさらに含み、走査電極１６及び維持電極１８各々が形成される。この時、この連結部１６４、１８４は、一つの放電セルを区画している一対の縦隔壁１２ｂに各々対応して対１６４ａ、１６４ｂ、１８４ａ、１８４ｂをなして形成される。
【００３９】
実質的に、前記連結部１６４、１８４によって第１ライン部１６１、１８１及び第２ライン部１６２、１８２が放電セルの内部で閉ループを形成し、これにより、その内部に開口部１６５、１８５が形成される。前記開口部１６５、１８５は、光が放電セルから出る時に干渉されないようにするので、ＰＤＰの開口率を従来よりも高める効果があり、これにより、発光輝度を従来よりも向上させる効果がある。
【００４０】
また、前記連結部１６４、１８４は、壁電荷の分布状態を確率的に高めることによって、第２ライン部１６２、１８２の間の放電ギャップ（Ｇ）で形成された放電（Ｐ１）が第１ライン部１６１、１８１に拡張して、放電経路の長い面放電（Ｐ２）を容易に形成することができるように作用する。ＰＤＰにおいて、プラズマ放電は、グロー放電を主放電として動作するので、前記連結部１６４、１８４を構成することにより、面放電による‘positive column’を形成することによって、放電効率を増加させることができる。
【００４１】
これと類似して、本実施例において、放電ギャップ（Ｇ）は、相対的に短い距離の第１ギャップ（Ｇ１）及び第１ギャップ（Ｇ１）よりも長い距離の第２ギャップ（Ｇ２）から形成されるのが好ましい。特に、前記第２ギャップ（Ｇ２）は、連結部１６４、１８４及び第２ライン部１６２、１８２が交差する交差地点（Ｐ）で形成されるのが好ましいが、このように構成することによって、第１ギャップ（Ｇ１）で起きた放電を連結部１６４、１８４を通じて第１ライン部１６１、１８１の間で起こる面放電に容易に誘導することができる。
【００４２】
一方、図面では、このように第１ギャップ（Ｇ１）及び第２ギャップ（Ｇ２）を形成する一つの方法として、交差地点（Ｐ）に互いに対向する凹部を例示している。
【００４３】
図３は第１ライン部及び第２ライン部の間に第３ライン部をさらに形成した電極構造を例示している。
【００４４】
ライン部の間に形成される電場は、距離に反比例して放電を誘導する。これにより、第１ライン部１６１、１８１及び第２ライン部１６２、１８２の間の距離が遠くなりすぎると、第１ギャップ（Ｇ１）で開始された放電が第１ライン部１６１、１８１の間の面放電に誘導されないことがある。したがって、本実施例では、第１ライン部１６１、１８１及び第２ライン部１６２、１８２の間の距離を第３ライン部１６３、１８３によって減少させて、面放電が容易に誘導されるようにする。
【００４５】
このような作用をする第３ライン部１６３、１８３は、各々第１ライン部１６１、１８１及び第２ライン部１６２、１８２の間に位置して、各々に対して互いに平行な状態で一方向（図面のｘ軸方向）に長く延長形成される。
【００４６】
一方、本実施例のように第１ライン部１６１、１８１及び第２ライン部１６２、１８２が各放電セルで互いに連結された構造にすることによって、ある一つのライン部で断線が発生しても、他のライン部が断線した電極を補償するので、これにより、発光効率及び輝度を増加させることができる。
【００４７】
一方、前記で、図７を参照して説明したように、隔壁の壁面に電極が近く位置するほど発光輝度が改善される。本実施例では、このような点を考慮して、前記連結部１６４、１８４の位置を決定する。
【００４８】
つまり、本実施例において、対に形成される連結部１６４、１８４は、一つの放電セルを区画する一対の縦隔壁１２ｂに各々隣接して形成される。この時、前記連結部１６４、１８４は光が出ることができるように隔壁から所定の距離で離隔して形成されるのが好ましいが、実験的に、連結部１６４、１８４は隔壁の壁面に形成された蛍光体層から１０〜２０μｍの間に位置するのが好ましい。距離がこれより小さいと、光が出る空間が不足してむしろ光を遮断する問題点があり、また、これより距離が大きいと、蛍光体層の間の距離が遠くなりすぎるので蛍光体を励起することができない問題点がある。
【００４９】
一方、工程上、蛍光体層はほぼ３０μｍ程度にコーティングされるのが理想的であるので、隔壁を基準にした時に４０〜５０μｍの距離を維持しながら、前記連結部１６３、１８３が隔壁に隣接して位置するのが好ましい。
【００５０】
以下、本発明の第２実施例について、添付した図面を参照して詳細に説明する。図４乃至図６は本発明の第２実施例によるＰＤＰ、放電セルの構造を示す図面である。ここで、第１実施例と同一な構成要素については同一な図面番号を使用し、その詳細な説明は省略する。
【００５１】
本発明の第２実施例によるＰＤＰは、表示電極４５が前記第１実施例と類似して複数のライン部の組み合わせで形成され、各色相別放電セルに沿ってその構成が互いに異なるように構成される。このように、色相別放電セルの電極構造を異なるように構成することによって、色相別放電セルの輝度差を改善することができる。
【００５２】
これについて、添付した図面を参照してより具体的に説明する。
【００５３】
本実施例において、表示電極４５は、放電セルで互いに対向して形成される走査電極４１及び維持電極４３の対からなる。ここで、走査電極４１及び維持電極４３の各々は、複数のライン部の組み合わせからなる。
【００５４】
図５に示したように、走査電極４１及び維持電極４３の各々は、横隔壁１２ａに隣接して形成される第１ライン部４１１、４３１及びこの第１ライン部４１１、４３１から離隔して放電セルの内部に形成される第２ライン部４１２、４３２を含む。この第２ライン部４１２、４３２は、放電セルの内部で互いに対向して放電ギャップ（Ｇ）をなして、各電極に印加される電圧パルスによって放電初期の対向放電を形成する。
【００５５】
初期の対向放電は、第１ライン部４１１、４３１の間に拡散して面放電に誘導される。この時、第１ライン部４１１、４３１及び第２ライン部４１２、４３２の間が広すぎると、放電が拡散しないため、第１ライン部４１１、４３１及び第２ライン部４１２、４３２の間に放電の拡散を誘導する第３ライン部４１３、４３３がさらに形成されることもできる（図６参照）。
【００５６】
そして、選択的な構造として、各放電セルに沿って連結部４１４、４３４がさらに形成される。つまり、発光輝度が最も低い放電セルについては、対をなしている連結部が形成される。図面では、青色放電セルが発光輝度が最も低いことを例示して示したが、本発明はこれに限定されない。
【００５７】
前記で、図７を参照して説明したように、電極が隔壁に隣接して形成されるほど発光輝度が高く現れるが、本実施例では、このような点を考慮して、発光輝度が最も低い青色放電セルについては、連結部４１４、４３４が放電セルを限定している縦隔壁１２ｂに各々隣接して対４１４ａ、４１４ｂ、４３４ａ、４３４ｂをなして形成され、赤色及び緑色放電セルについては、連結部が放電セルの幅方向（図面のｘ軸方向）中心に形成される。
【００５８】
連結部４１４、４３４は、プラズマ放電で生成された電荷が動く通路を提供するが、このように縦隔壁１２ｂの壁面に隣接して連結部４１４ａ、４１４ｂ、４３４ａ、４３４ｂを配置することによって、縦隔壁１２ｂの周辺の電荷の分布を確率的に高めることができる。これにより、ここの蛍光体が励起される確率が高くなって、青色放電セル８Ｂの輝度が高くなる。
【００５９】
一方、赤色及び緑色の放電セル８Ｒ、８Ｇについては、一つの連結部が放電セルの幅方向中心に形成されているため、これにより、青色及び赤色（または緑色）の発光輝度差が減少して、相対的に赤色または緑色放電セルの輝度を少なく減少させてホワイトバランスを調整することができるため、ＰＤＰの発光輝度を向上させることができる。
【００６０】
以上で、本発明は限定された実施例及び図面によって説明されたが、本発明はこれに限定されず、本発明が属する技術分野における通常の知識を有する者によって、本発明の技術思想及び特許請求の範囲と均等な範囲内で、多様な修正及び変形が可能である。
【図面の簡単な説明】
【００６１】
【図１】本発明の第１実施例によるプラズマディスプレイパネルの部分分解斜視図である。
【図２】図１に示したプラズマディスプレイパネルのうちの隔壁及び電極の配置関係を示す概略的な平面図である。
【図３】第１実施例の変形例による電極及び隔壁の配置関係を示す概略的な平面図である。
【図４】本発明の第２実施例によるプラズマディスプレイパネルの部分分解斜視図である。
【図５】図４に示したプラズマディスプレイパネルのうちの隔壁及び電極の配置関係を示す概略的な平面図である。
【図６】第２実施例の変形例による電極及び隔壁の配置関係を示す概略的な平面図である。
【図７】従来の３電極面放電型プラズマディスプレイパネルにおける一つの放電セルに対する発光輝度の分布を説明する図面である。
【符号の説明】
【００６２】
２  背面基板
４  前面基板
８  アドレス電極
８Ｒ、８Ｇ、８Ｂ  放電セル
１０、２２  誘導体層
１２  隔壁
１２ａ  横隔壁
１２ｂ  縦隔壁
１４Ｒ、１４Ｇ、１４Ｂ  蛍光体
１６、４１  走査電極
１８、４３  維持電極
２０、４５  表示電極
２４  保護膜
１６１、１８１、４１１、４３１  第１ライン部
１６２、１８２、４１２、４３２  第２ライン部
１６３、１８３、４１３、４３３  第３ライン部
１６４、１８４、４１４、４３４  連結部
１６５、１８５  開口部
【図１】
2005340213.tif 000003
【図２】
2005340213.tif 000004
【図３】
2005340213.tif 000005
【図４】
2005340213.tif 000006
【図５】
2005340213.tif 000007
【図６】
2005340213.tif 000008
【図７】
2005340213.tif 000009